(57)【要約】  遠隔制御装置（２）は、携帯機器（３）から出力された、ユーザの室内環境における嗜好を示す嗜好情報（８）を入力し、嗜好情報（８）に基づいて、対象となる部屋の調整機器（４Ａ，４Ｂ又は４Ｃ，５Ａ，５Ｂ又は５Ｃ）を制御する。遠隔制御装置（２）は、調整機器（４Ａ，４Ｂ又は４Ｃ，５Ａ，５Ｂ又は５Ｃ）の動作履歴から嗜好情報（８）を生成し、出力する。携帯機器（３）は、遠隔制御装置（２）から出力された嗜好情報（８）を入力し、メモリに記憶する。
2018179049.tif 000002
【特許請求の範囲】
【請求項１】
室内の環境を調整する調整機器を制御する遠隔制御装置と、携帯機器と、を備え、
前記遠隔制御装置は、
前記携帯機器から出力された、ユーザの室内環境における嗜好を示す嗜好情報を入力する情報入力手段と、
前記入力した嗜好情報に基づいて、前記調整機器を制御する機器制御手段と、
前記調整機器の動作履歴から、前記室内を利用したユーザに対応する嗜好情報を生成する生成手段と、
前記生成した嗜好情報を出力する情報出力手段と、を備え、
前記携帯機器は、
前記遠隔制御装置から出力された前記嗜好情報を入力する情報入力手段と、
前記嗜好情報を記憶する情報記憶手段と、
前記情報記憶手段に記憶されている前記嗜好情報を出力する情報出力手段と、を備える、室内環境調整システム。
【請求項２】
前記携帯機器の前記情報出力手段は、前記嗜好情報を示す二次元コードを出力し、
前記遠隔制御装置の前記情報入力手段は、前記携帯機器により出力された前記二次元コードから前記嗜好情報を読み取り、
前記遠隔制御装置の前記情報出力手段は、前記生成された嗜好情報を示す二次元コードを出力し、
前記携帯機器の前記情報入力手段は、前記遠隔制御装置により出力された前記二次元コードから前記生成された嗜好情報を読み取る、請求項１に記載の室内環境調整システム。
【請求項３】
前記携帯機器の前記情報出力手段は、前記嗜好情報を前記遠隔制御装置に送信し、
前記遠隔制御装置の前記情報入力手段は、前記携帯機器から送信された前記嗜好情報を受信し、
前記遠隔制御装置の前記情報出力手段は、前記生成された嗜好情報を前記携帯機器に送信し、
前記携帯機器の前記情報入力手段は、前記遠隔制御装置から送信された前記嗜好情報を受信する、請求項１に記載の室内環境調整システム。
【請求項４】
室内の環境を調整する調整機器を制御する遠隔制御装置であって、
携帯機器から出力された、ユーザの室内環境における嗜好を示す嗜好情報を入力する情報入力手段と、
前記入力した嗜好情報に基づいて、前記調整機器を制御する機器制御手段と、
前記調整機器の動作履歴から、前記室内を利用したユーザに対応する嗜好情報を生成する生成手段と、
前記生成した嗜好情報を出力する情報出力手段と、を備える、遠隔制御装置。
【請求項５】
室内の環境を調整する調整手段と、
携帯機器から、ユーザの室内環境における嗜好を示す嗜好情報を受信する情報受信手段と、
前記嗜好情報に基づいて、前記調整手段の動作を制御する動作制御手段と、
前記調整手段の動作履歴から、前記室内を利用したユーザに対応する嗜好情報を生成する生成手段と、
前記生成した嗜好情報を前記携帯機器に送信する情報送信手段と、を備える、調整機器。
【請求項６】
遠隔制御装置が、携帯機器から出力された、ユーザの室内環境における嗜好を示す嗜好情報を入力し、入力した嗜好情報に基づいて、室内の環境を調整する調整機器を制御し、
前記遠隔制御装置が、前記調整機器の動作履歴から、前記室内を利用したユーザに対応する嗜好情報を生成し、前記生成した嗜好情報を出力する、室内環境調整方法。
【発明の詳細な説明】
【技術分野】
【０００１】
本発明は、室内の環境を調整する技術に関する。
【背景技術】
【０００２】
ホテル等の宿泊施設において、顧客の情報を管理することで、顧客の好みに合うように客室の環境をセッティングする技術が知られている（例えば、特許文献１）【０００３】
特許文献１に開示されるホテルビジネス情報システムでは、提携する各ホテルに設置されたローカル管理サーバと、メイン管理サーバとがインターネットを介して接続される。各ローカル管理サーバは、予約情報又はチェックイン情報に対応する顧客が以前に当該ホテルに滞在した経験があるかどうかをローカル顧客情報データベースを検索して確認する。このローカル顧客情報データベースには、顧客毎に、国籍、以前にセッティングされた客室環境（温度、湿度又はＢＧＭ）等に関する情報が含まれている。【０００４】
ローカル顧客情報データベースに当該顧客に対する情報が存在する場合、ローカル管理サーバは、当該顧客に対応する温度、湿度及びＢＧＭに関するデータを客室管理システムに伝達する。客室管理システムは伝達されたデータに基づいて客室の環境をセッティングしておく。【０００５】
一方、当該顧客に対する情報がローカル顧客情報データベースに存在しない場合、ローカル管理サーバは、メイン管理サーバにメイン顧客情報データベースでの当該顧客に対する情報の検索を要請する。メイン顧客情報データベースには、各提携ホテルのローカル顧客情報データベースの情報が集約して格納されている。メイン管理サーバは、検索した当該顧客に関する情報をローカル管理サーバに伝達し、ローカル管理サーバは、かかる情報をローカル顧客情報データベースに格納し、また、客室管理システムに伝達する。
【先行技術文献】
【特許文献】
【０００６】
【特許文献１】特表２００４−５０３８８４号公報
【発明の概要】
【発明が解決しようとする課題】
【０００７】
特許文献１に開示される技術では、複数のホテルのローカルサーバ（ローカル管理サーバ）と、メインサーバ（メイン管理サーバ）とがインターネットを介して接続され、メインサーバが管理するメインデータベース（メイン顧客情報データベース）で顧客情報を集約管理できるようにするため、システム全体の構成が大掛かりとなる。また、ホテル毎に、顧客情報を管理するローカルデータベース（ローカル顧客情報データベース）を備え、また、ローカルサーバがメインサーバと通信できる構成が必須となるため、各ホテルにおいてシステムの導入及びメンテナンスコストが嵩んでしまうという懸念がある。【０００８】
また、当該ホテルを初めて利用する客に対しては、メインサーバに問合せを行うため、即時性が乏しく、さらに、メインサーバとの通信不良時では、メインデータベースの顧客情報を利用することができず、当該顧客に対しては、客室の環境をセッティングするサービスを提供できないという問題がある。【０００９】
本発明は、上記問題を解決するためになされたものであり、大規模な構成に依らず、安定的に、室内をユーザの嗜好に沿った環境に調整することが可能な室内環境調整システム等を提供することを目的とする。
【課題を解決するための手段】
【００１０】
上記目的を達成するため、本発明に係る室内環境調整システムは、
室内の環境を調整する調整機器を制御する遠隔制御装置と、携帯機器と、を備え、
前記遠隔制御装置は、
前記携帯機器から出力された、ユーザの室内環境における嗜好を示す嗜好情報を入力する情報入力手段と、
前記入力した嗜好情報に基づいて、前記調整機器を制御する機器制御手段と、
前記調整機器の動作履歴から、前記室内を利用したユーザに対応する嗜好情報を生成する生成手段と、
前記生成した嗜好情報を出力する情報出力手段と、を備え、
前記携帯機器は、
前記遠隔制御装置から出力された前記嗜好情報を入力する情報入力手段と、
前記嗜好情報を記憶する情報記憶手段と、
前記情報記憶手段に記憶されている前記嗜好情報を出力する情報出力手段と、を備える。
【発明の効果】
【００１１】
本発明によれば、遠隔制御装置は、携帯機器から出力された、ユーザの室内環境における嗜好を示す嗜好情報を入力し、入力した嗜好情報に基づいて調整機器を制御する。そして、遠隔制御装置は、調整機器の動作履歴から、室内を利用したユーザに対応する嗜好情報を生成して出力する。携帯機器は、遠隔制御装置から出力された嗜好情報を入力し記憶する。このため、大規模な構成に依らず、安定的に、室内をユーザの嗜好に沿った環境に調整することが可能となる。
【図面の簡単な説明】
【００１２】
【図１】本発明の実施形態に係る室内環境調整システムの全体構成を示す図
【図２】本実施形態に係る遠隔制御装置の構成を示すブロック図
【図３】本実施形態に係る遠隔制御装置が備える二次記憶装置について説明するための図
【図４】本実施形態の顧客情報テーブルについて説明するための図
【図５】本実施形態の嗜好情報の例について説明するための図
【図６】本実施形態の嗜好情報の他の例について説明するための図
【図７】本実施形態に係る携帯機器の構成を示すブロック図
【図８】本実施形態に係る携帯機器の機能構成を示す図
【図９】本実施形態に係る遠隔制御装置の機能構成を示す図
【図１０】本実施形態に係る遠隔制御装置が実行する室内環境調整処理の手順を示すフローチャート
【図１１】他の実施形態に係る室内環境調整システムの全体構成を示す図
【図１２】他の実施形態において、遠隔制御装置と携帯機器との間の嗜好情報のやり取りが、無線通信にて行われる例を示す図
【図１３】他の実施形態において、遠隔制御装置と携帯機器との間の嗜好情報のやり取りが、無線通信にて行われる例を示す図
【図１４】他の実施形態において、調整機器（空調機）と携帯機器との間で嗜好情報のやり取りが行われる例を示す図
【発明を実施するための形態】
【００１３】
以下、本発明の実施形態について図面を参照して詳細に説明する。
【００１４】
図１は、本発明の実施形態に係る室内環境調整システム１の全体構成を示す図である。室内環境調整システム１は、ホテル等の宿泊施設における各部屋の環境を調整するシステムである。室内環境調整システム１は、遠隔制御装置２と、携帯機器３と、複数の照明器４（４Ａ、４Ｂ、…）と、複数の空調機５（５Ａ、５Ｂ、…）を備える。
【００１５】
遠隔制御装置２は、例えば、この宿泊施設のフロントに設置され、各部屋に設置された照明器４及び空調機５の動作を集中制御する。本実施形態では、この宿泊施設には、Ａ、Ｂ、Ｃ、…号室が設けられており、Ａ号室には、照明器４Ａ及び空調機５Ａが設置され、Ｂ号室には、照明器４Ｂ及び空調機５Ｂが設置され、Ｃ号室には、照明器４Ｃ及び空調機５Ｃが設置されている。
【００１６】
各照明器４は、本発明に係る調整機器の一例である。即ち、各照明器４は、何れも図示しないが、室内の環境を調整する調整手段と、調整部の動作を制御する動作制御手段を備える。具体的には、各照明器４は、各部屋の天井に設置され、当該部屋の照明を行う。各照明器４は、通信線６を介して遠隔制御装置２と通信可能に接続される。各照明器４は、遠隔制御装置２からの照明制御情報に従って、点灯又は消灯し、点灯時には、当該照明制御情報で指定された照度及び／又は色温度で照明を行う。
【００１７】
また、各部屋には、各照明器４専用の図示しない照明リモコンが設置されており、各照明器４と通信可能に接続されている。各照明リモコンは、当該部屋を利用する宿泊客（以降、顧客という。）からの入力操作を受け付け、受け付けた入力操作に係る照明制御情報を接続する照明器４に送信する。顧客は、当該部屋の照明リモコンを介して所望の照明を当該部屋の照明器４に実行させることができる。
【００１８】
各空調機５は、本発明に係る調整機器の一例である。即ち、各空調機５は、何れも図示しないが、室内の環境を調整する調整手段と、調整部の動作を制御する動作制御手段を備える。具体的には、各空調機５は、通信線７を介して遠隔制御装置２と通信可能に接続される。各空調機５は、遠隔制御装置２からの空調制御情報に従って各部屋の空調を行う。各空調機５は、より詳細には、天井埋込タイプあるいは壁掛タイプの室内機であり、屋外に設置された室外機（図示せず）と図示しない通信線を介して通信可能に接続されると共に、冷媒を循環させるための冷媒配管により接続されている。なお、複数台の空調機５が、同一の室外機に接続されるようにしてもよい。
【００１９】
また、各部屋には、空調機５専用の図示しない空調リモコンが設置されており、当該空調機５と通信可能に接続されている。各空調リモコンは、顧客からの入力操作を受け付け、受け付けた入力操作に係る空調制御情報を接続する空調機５に送信する。顧客は、当該部屋の空調リモコンを介して所望の空調を当該部屋の空調機５に実行させることができる。
【００２０】
各空調機５は、遠隔制御装置２又は各空調リモコンからの空調制御情報を受信すると、当該空調制御情報に従った自機の動作情報を対応する室外機に送信する。動作情報には、運転中又は停止中を示す情報、サーモオン又はサーモオフを示す情報、冷房、暖房、除湿、送風などの運転モードを示す情報、設定風量、設定温度、設定湿度などの設定値を示す情報などが含まれる。対応する空調機５からの動作情報を受信した室外機は、当該動作情報で示される動作を対応する空調機５が行えるように、自機を構成する各部（圧縮器、凝縮器、膨張弁、蒸発器等）を動作させる。
【００２１】
遠隔制御装置２は、図２に示すように、ディスプレイ２０と、操作受付部２１と、通信インタフェース２２と、二次元コードリーダ２３と、プロセッサ２４と、ＲＯＭ（Read Only Memory）２５と、ＲＡＭ（Random Access Memory）２６と、二次記憶装置２７を備える。これらの構成部は、バス２８を介して相互に接続される。
【００２２】
ディスプレイ２０は、液晶ディスプレイ、有機ＥＬディスプレイ、プラズマディスプレイ又はＣＲＴディスプレイ等の表示デバイスを含んで構成される。ディスプレイ２０は、プロセッサ２４の制御の下、当該宿泊施設に関する情報、顧客に関する情報等、様々な情報の表示を行う。
【００２３】
操作受付部２１は、押しボタン、キーボード、マウス、キーパッド、タッチパネル又はタッチパッド等の１つ以上の入力デバイスを含んで構成され、当該宿泊施設の従業員等の関係者からの操作入力を受け付け、受け付けた操作に係る信号をプロセッサ２４に送出する。
【００２４】
通信インタフェース２２は、通信線６を介して各照明器４と通信するためのインタフェースと、通信線７を介して各空調機５と通信するためのインタフェースを備える。なお、遠隔制御装置２は、当該宿泊施設に設置された１又は複数の端末、当該宿泊施設の複数の関係者の各々によって携帯される端末等と通信したり、インターネット等の広域ネットワークを介して他の装置と通信できる構成を備えていてもよい。
【００２５】
二次元コードリーダ２３は、本発明に係る遠隔制御装置の情報入力手段の一例である。二次元コードリーダ２３は、ディスプレイに表示された、あるいは、紙等の媒体に印刷された既定の二次元コード８を光学的に読み取る装置である。本実施形態では、二次元コード８は、周知の規格に基づくものであり、詳細には、マトリックス式の二次元コードである。二次元コードリーダ２３は、読み取った二次元コード８の情報をＲＡＭ２６に保存する。二次元コード８によって示される情報については、後述する。
【００２６】
プロセッサ２４は、遠隔制御装置２を統括的に制御する。プロセッサ２４によって実現される機能の詳細については後述する。
【００２７】
ＲＯＭ２５は、複数のファームウェアとこれらのファームウェアの実行時に使用されるデータを記憶する。ＲＡＭ２６は、プロセッサ２４の作業領域として使用される。
【００２８】
二次記憶装置２７は、ＥＥＰＲＯＭ（Electrically Erasable Programmable Read-Only Memory）若しくはフラッシュメモリ等の読み書き可能な不揮発性の半導体メモリ又はＨＤＤ（Hard Disk Drive）等を含んで構成される。二次記憶装置２７は、図３に示すように、遠隔制御関連プログラム２７０と、顧客情報テーブル２７１と、動作履歴ＤＢ２７２を記憶する。
【００２９】
なお、この他にも、二次記憶装置２７には、様々なプログラムと、それらのプログラムの実行時に使用されるデータが記憶される。
【００３０】
遠隔制御関連プログラム２７０は、プロセッサ２４によって実行されるコンピュータプログラムである。遠隔制御関連プログラム２７０には、何れも図示しないが、嗜好情報入力プログラムと、機器制御プログラムと、嗜好情報出力プログラムが含まれる。
【００３１】
嗜好情報入力プログラムには、顧客の携帯機器３から出力された二次元コード８を、二次元コードリーダ２３に読み取らせるための処理が記述されている。機器制御プログラムには、顧客の嗜好情報に基づいて対応する部屋の照明器４及び空調機５を制御するための処理と、顧客が利用中、即ち、宿泊中の部屋に設置された照明器４及び空調機５の動作履歴を管理するための処理が記述されている。嗜好情報出力プログラムには、当該顧客の照明における嗜好と空調における嗜好を示す嗜好情報を二次元コード化して出力する処理が記述されている。
【００３２】
顧客情報テーブル２７１は、顧客に関する情報を管理するためのデータテーブルである。顧客情報テーブル２７１には、図４に示すような各顧客に対応した顧客情報２７１０が複数格納されている。顧客情報２７１０には、パーソナル情報２７１１と、宿泊情報２７１２と、嗜好情報２７１３とが含まれる。
【００３３】
パーソナル情報２７１１は、顧客の個人的な情報であり、顧客の氏名、住所、性別及び年齢等を含む情報である。宿泊情報２７１２は、当該顧客の宿泊に関する情報であり、チェックイン日時、チェックアウト日時、部屋名及び料金等を含む情報である。
【００３４】
嗜好情報２７１３は、顧客の携帯機器３から出力され、二次元コードリーダ２３に読み取られた二次元コード８が示す情報であり、当該顧客の室内環境における嗜好を示す情報である。本実施形態では、室内環境として、温熱環境と照明環境を対象にする。
【００３５】
具体的に、嗜好情報２７１３には、例えば、図５に示すような、当該顧客の好みの温度傾向及び湿度傾向並びに当該顧客の好みの明るさの傾向を示す情報が含まれる。温度傾向及び湿度傾向は、“高め”、“普通”又は“低め”の何れかで示される。好みの温度傾向が“高め”とは、当該顧客が、一般的に適温とされる範囲の上限よりも高い室内温度を好む傾向にあることを示す。好みの温度傾向が“普通”とは、当該顧客が、一般的に適温とされる範囲の室内温度を好む傾向にあることを示す。好みの温度傾向が“低め”とは、当該顧客が、一般的に適温とされる範囲の下限よりも低い室内温度を好む傾向にあることを示す。
【００３６】
また、好みの湿度傾向が“高め”とは、当該顧客が、一般的に快適とされる湿度範囲の上限よりも高い湿度を好む傾向にあることを示す。好みの湿度傾向が“普通”とは、当該顧客が、一般的に快適とされる湿度範囲の湿度を好む傾向にあることを示す。好みの湿度傾向が“低め”とは、当該顧客が、一般的に快適とされる湿度範囲の下限よりも低い湿度を好む傾向にあることを示す。
【００３７】
また、明るさの傾向は、“強め”、“普通”又は“弱め”の何れかで示される。好みの明るさの傾向が“強め”とは、当該顧客が、一般的な宿泊施設の部屋における通常時の明るさよりも強い明るさを好む傾向にあることを示す。好みの明るさの傾向が“普通”とは、当該顧客が、一般的な宿泊施設の部屋における通常時の明るさを好む傾向にあることを示す。好みの明るさの傾向が“弱め”とは、当該顧客が、一般的な宿泊施設の部屋における通常時の明るさよりも弱い明るさを好む傾向にあることを示す。
【００３８】
あるいは、嗜好情報２７１３には、例えば、図６に示すような、当該顧客の季節別の好みの室内温度（℃）及び室内湿度（％）並びに当該顧客の好みの照度（ｌｘ：ルクス）及び色温度（Ｋ：ケルビン）が含まれる。
【００３９】
図３に戻り、動作履歴ＤＢ２７２は、各部屋の照明器４及び空調機５の動作状態の履歴が格納されたデータベースである。プロセッサ２４は、定期的に（例えば、１分毎に）各部屋の照明器４及び空調機５の動作状態を取得し、取得した動作状態と、部屋名と、現在時刻とを対応付けて動作履歴ＤＢ２７２に登録する。各照明器４の動作状態には、点灯又は消灯を示す情報、さらに、点灯時においては、照度及び色温度の各値が含まれる。
【００４０】
また、各空調機５の動作状態には、運転中又は停止中を示す情報、サーモオン又はサーモオフを示す情報、冷房、暖房、除湿、送風などの運転モードを示す情報、設定風量、設定温度、設定湿度などの設定値を示す情報などが含まれる。
【００４１】
図１に戻り、携帯機器３は、携帯電話、スマートフォン又はタブレット端末等の携帯可能な電子機器である。携帯機器３は、図７に示すように、ディスプレイ３０と、操作受付部３１と、通信インタフェース３２と、イメージセンサ３３と、プロセッサ３４と、ＲＯＭ３５と、ＲＡＭ３６と、二次記憶装置３７を備える。これらの構成部は、バス３８を介して相互に接続される。
【００４２】
ディスプレイ３０は、液晶ディスプレイ又は有機ＥＬディスプレイ等の表示デバイスを含んで構成される。ディスプレイ３０は、プロセッサ３４の制御の下、ユーザ操作に応じた各種の画面等を表示する。
【００４３】
操作受付部３１は、押しボタン、タッチパネル又はタッチパッド等の１つ以上の入力デバイスを含んで構成され、ユーザからの操作入力を受け付け、受け付けた操作に係る信号をプロセッサ３４に送出する。
【００４４】
通信インタフェース３２は、周知の近距離無線通信規格及び／又は周知の広域無線通信規格に準じたインタフェースを備える。イメージセンサ３３は、ＣＣＤ（Charge-Coupled Device）又はＣＭＯＳ（Complementary Metal Oxide Semiconductor）等のイメージセンサである。
【００４５】
プロセッサ３４は、携帯機器３を統括的に制御する。プロセッサ３４によって実現される機能の詳細については後述する。
【００４６】
ＲＯＭ３５は、複数のファームウェアとこれらのファームウェアの実行時に使用されるデータを記憶する。ＲＡＭ３６は、プロセッサ３４の作業領域として使用される。
【００４７】
二次記憶装置３７は、本発明に係る携帯機器の情報記憶手段の一例である。二次記憶装置３７は、ＥＥＰＲＯＭ（Electrically Erasable Programmable Read-Only Memory）又はフラッシュメモリ等の読み書き可能な不揮発性の半導体メモリを含んで構成される。二次記憶装置３７は、嗜好情報管理プログラム３７０と、嗜好情報３７１を記憶する。なお、この他にも、二次記憶装置３７には、様々なプログラムと、それらのプログラムの実行時に使用されるデータが記憶される。
【００４８】
嗜好情報管理プログラム３７０は、プロセッサ３４によって実行されるコンピュータプログラムである。嗜好情報管理プログラム３７０は、ユーザの操作受付部３１を介した操作により、遠隔制御装置２、照明器４又は空調機５のメーカ又は販売会社等が運営するサーバからダウンロードされ、二次記憶装置３７に記憶される。あるいは、様々な会社で作成された各種のアプリケーションプログラムのダウンロードサービスを提供するサーバから、嗜好情報管理プログラム３７０を入手できるようにしてもよい。
【００４９】
嗜好情報管理プログラム３７０には、イメージセンサ３３が撮像した二次元コード８をデコードし、デコードした結果を嗜好情報３７１として二次記憶装置３７に保存する処理と、二次記憶装置３７に記憶される嗜好情報３７１を二次元コード化してディスプレイ３０に表示する処理が記述されている。
【００５０】
携帯機器３は、特徴的な機能として、図８に示すように、嗜好情報入力部３００と、嗜好情報出力部３０１を備える。これらの各機能部は、プロセッサ３４が嗜好情報管理プログラム３７０を実行することで実現される。
【００５１】
嗜好情報入力部３００は、本発明に係る携帯機器の情報入力手段の一例である。嗜好情報入力部３００は、ユーザによって操作受付部３１を介して嗜好情報の読取指示操作が行われると、イメージセンサ３３による撮像を開始させ、撮像された画像から二次元コード８を検出する。嗜好情報入力部３００は、検出した二次元コード８をデコードし、デコードした結果を嗜好情報３７１として二次記憶装置３７に保存する。嗜好情報３７１のデータ構造及び内容は、当該二次元コード８を出力した遠隔制御装置２の二次記憶装置２７に記憶される嗜好情報２７１３と同様である。
【００５２】
嗜好情報出力部３０１は、本発明に係る携帯機器の情報出力手段の一例である。嗜好情報出力部３０１は、ユーザによって嗜好情報の出力指示操作が行われると、二次記憶装置３７に記憶される嗜好情報３７１を二次元コード化し、二次元コード８としてディスプレイ３０に表示する。
【００５３】
続いて、遠隔制御装置２の機能について説明する。遠隔制御装置２は、機能的には、図９に示すように、嗜好情報取得部２００と、機器制御部２０１と、動作状態取得部２０２と、嗜好情報生成部２０３と、嗜好情報出力部２０４を備える。これらの各機能部は、プロセッサ２４が遠隔制御関連プログラム２７０を実行することで実現される。
【００５４】
嗜好情報取得部２００は、二次元コードリーダ２３に読み取られた情報、即ち、顧客の携帯機器３から出力された（詳細には、携帯機器３のディスプレイ３０に表示された）二次元コード８が示す情報を嗜好情報２７１３として取得する。嗜好情報取得部２００は、取得した嗜好情報２７１３を、二次記憶装置２７に記憶される顧客情報テーブル２７１における当該顧客に対応する顧客情報２７１０のレコードに格納する。
【００５５】
なお、当該顧客に対応する顧客情報２７１０のレコードは、当該顧客の宿泊予約を受け付けた際に生成され、顧客情報テーブル２７１に登録される。そして、当該顧客のチェックアウト後、一定期間が経過すると、当該顧客に対応する顧客情報２７１０のレコードは、顧客情報テーブル２７１から削除される。
【００５６】
機器制御部２０１は、本発明に係る遠隔制御装置の機器制御手段の一例である。機器制御部２０１は、顧客のチェックインが完了すると、当該顧客に対応する顧客情報２７１０のレコードから宿泊情報２７１２及び嗜好情報２７１３を読み出す。そして、機器制御部２０１は、宿泊情報２７１２で示される部屋の照明器４及び空調機５を、嗜好情報２７１３に基づいて制御する。即ち、機器制御部２０１は、当該顧客の好みの明るさにするための照明制御情報を生成し、当該照明器４に送信する。また、機器制御部２０１は、当該顧客の好みの温度及び湿度にするための空調制御情報を生成し、当該空調機５に送信する。
【００５７】
動作状態取得部２０２は、定期的に（例えば、１分毎に）各部屋の照明器４及び空調機５に対して、動作状態の送信を要求する。かかる要求を受けると、各照明器４及び各空調機５は、自機の動作状態を示す情報（以降、動作状態情報という。）を遠隔制御装置２に送信する。動作状態取得部２０２は、各照明器４から動作状態情報を通信インタフェース２２を介して取得すると、当該動作状態情報で示される照明器４の動作状態を部屋名と現在時刻を対応付けて動作履歴ＤＢ２７２に登録する。また、動作状態取得部２０２は、各空調機５から動作状態情報を通信インタフェース２２を介して取得すると、当該動作状態情報で示される空調機５の動作状態を部屋名と現在時刻を対応付けて動作履歴ＤＢ２７２に登録する。
【００５８】
嗜好情報生成部２０３は、本発明に係る遠隔制御装置の生成手段の一例である。嗜好情報生成部２０３は、当該宿泊施設の従業員等の関係者によって、操作受付部２１を介して、部屋を指定した嗜好情報の出力指示操作が行われると、当該部屋の照明器４及び空調機５の動作状態の履歴から、当該顧客の嗜好情報を生成する。この嗜好情報のデータ構造は、嗜好情報２７１３と同様である。
【００５９】
嗜好情報出力部２０４は、本発明に係る遠隔制御装置の情報出力手段の一例である。嗜好情報出力部２０４は、嗜好情報生成部２０３により生成された嗜好情報を二次元コード化し、二次元コード８としてディスプレイ２０に表示する。顧客は、前述したように携帯機器３を操作し、イメージセンサ３３に、ディスプレイ２０に表示された二次元コード８を撮像させることで、当該二次元コード８が示す情報を嗜好情報３７１として携帯機器３に取り込むことができる。
【００６０】
図１０は、遠隔制御装置２の各機能部によって実行される室内環境調整処理の手順を示すフローチャートである。嗜好情報取得部２００は、二次元コードリーダ２３によって、顧客の携帯機器３から出力された二次元コード８が読み取られたか否かを判別する（ステップＳ１０１）。二次元コードリーダ２３によって二次元コード８が読み取られていない場合（ステップＳ１０１；ＮＯ）、ステップＳ１０４に移行する。
【００６１】
一方、二次元コードリーダ２３によって二次元コード８が読み取られた場合（ステップＳ１０１；ＹＥＳ）、嗜好情報取得部２００は、読み取られた二次元コード８が示す情報を嗜好情報２７１３として取得する（ステップＳ１０２）。嗜好情報取得部２００は、取得した嗜好情報２７１３を、二次記憶装置２７に記憶される顧客情報テーブル２７１における当該顧客に対応する顧客情報２７１０のレコードに格納する。
【００６２】
機器制御部２０１は、取得された嗜好情報２７１３に基づいて、対象となる部屋の照明器４及び空調機５を制御する（ステップＳ１０３）。
【００６３】
嗜好情報生成部２０３は、操作受付部２１を介して、嗜好情報の出力指示操作が行われたか否かを判別する（ステップＳ１０４）。嗜好情報の出力指示操作が行われていない場合（ステップＳ１０４；ＮＯ）、ステップＳ１０７に移行する。
【００６４】
一方、嗜好情報の出力指示操作が行われた場合（ステップＳ１０４；ＹＥＳ）、嗜好情報生成部２０３は、当該部屋の照明器４及び空調機５の動作状態の履歴から、当該顧客の嗜好情報を生成する（ステップＳ１０５）。
【００６５】
嗜好情報出力部２０４は、嗜好情報生成部２０３により生成された嗜好情報を二次元コード化し、二次元コード８としてディスプレイ２０に表示する（ステップＳ１０６）。
【００６６】
動作状態取得部２０２は、各照明器４及び各空調機５からの動作状態の前回の取得から、一定時間（例えば、１分間）が経過したか否かを判別する（ステップＳ１０７）。一定時間が経過していない場合（ステップＳ１０７；ＮＯ）、ステップＳ１０１に戻る。一方、一定時間が経過した場合（ステップＳ１０７；ＹＥＳ）、動作状態取得部２０２は、各部屋の照明器４及び空調機５から、それぞれの動作状態を取得する（ステップＳ１０８）。動作状態取得部２０２は、各照明器４から動作状態情報を取得すると、当該動作状態情報で示される照明器４の動作状態を部屋名と現在時刻を対応付けて動作履歴ＤＢ２７２に登録する。また、動作状態取得部２０２は、各空調機５から動作状態情報を取得すると、当該動作状態情報で示される空調機５の動作状態を部屋名と現在時刻を対応付けて動作履歴ＤＢ２７２に登録する。その後、ステップＳ１０１に戻る。
【００６７】
以上説明したように、遠隔制御装置２は、顧客の携帯機器３から出力された二次元コード８を読み取ることで、当該顧客に対応する嗜好情報を取得する。そして、遠隔制御装置２は、取得した嗜好情報に基づいて、当該顧客が利用する部屋の照明器４及び空調機５を制御する。また、遠隔制御装置２は、顧客が利用した部屋の照明器４及び空調機５の動作状態の履歴から嗜好情報を生成し、二次元コード化することで二次元コード８として出力する。
【００６８】
携帯機器３は、予め記憶する嗜好情報管理プログラム３７０により、遠隔制御装置２から出力された二次元コード８が示す情報、即ち、嗜好情報を取り込んで記憶する機能と、記憶する嗜好情報を二次元コード化して出力する機能を有する。
【００６９】
このため、室内環境調整システム１を導入する宿泊施設等では、大規模な構成に依らず安定的に、室内を顧客の嗜好に沿った環境に調整することが可能となる。
【００７０】
なお、本発明は、上記の実施形態に限定されず、本発明の要旨を逸脱しない範囲での種々の変更は勿論可能である。
【００７１】
例えば、図１１に示すように、遠隔制御装置２の代わりに、同様の機能を有する複数の遠隔制御装置９（９Ａ、９Ｂ、９Ｃ、…）を各部屋（Ａ号室、Ｂ号室、Ｃ号室、…）に設置してもよい。各部屋の遠隔制御装置９は、制御対象が当該部屋の照明器４及び空調機５に限定される点で遠隔制御装置２と相違するが、他の点では実質的に遠隔制御装置２と同一の機能を有する。
【００７２】
各遠隔制御装置９は、各部屋の入口付近に設置され、顧客は、利用する部屋に入室後、携帯機器３から出力した二次元コード８を当該遠隔制御装置９に読み取らせることで、室内を自分の嗜好に沿った環境（即ち、温熱環境と照明環境）に調整させることができる。
【００７３】
また、二次元コード８は、マトリックス式の二次元コードに限定されず、スタック式の二次元コードであってもよいし、一次元コードでもよい。あるいは、二次元コード８は、周知の規格に基づくものに限定されず、室内環境調整システム１で使用するために定義したものであってもよい。
【００７４】
また、本発明における嗜好情報のデータ構造は任意の設計事項であり、図５、図６で示されるものに限定されない。例えば、嗜好情報に、時間帯毎の好みの温度傾向、湿度傾向及び明るさの傾向が含まれるようにしてもよいし、時間帯毎の好みの温度、湿度、照度及び色温度が含まれるようにしてもよい。また、嗜好情報に、調整機器の種別、バージョン等の機器情報を含めるようにしてもよい。
【００７５】
また、図１２に示すように、遠隔制御装置２と携帯機器３とが、近距離無線通信を行うことで、互いに嗜好情報のやり取りを行うようにしてもよい。また、遠隔制御装置２と携帯機器３とが、広域無線通信を行うことで、互いに嗜好情報のやり取りを行うようにしてもよい。このようにすると、遠隔制御装置２は、二次元コードリーダ２３を必ずしも備える必要がなく、また、携帯機器３は、イメージセンサ３３を必ずしも備える必要がない。
【００７６】
また、図１３に示すように、各部屋の遠隔制御装置９と携帯機器３とが、近距離無線通信を行うことで、互いに嗜好情報のやり取りを行うようにしてもよい。
【００７７】
また、図１４に示すように、各部屋の調整機器（照明器４及び空調機５）と携帯機器３とが、近距離無線通信を行うことで、互いに嗜好情報のやり取りを行うようにしてもよい。この場合、各調整機器は、携帯機器３から送信された嗜好情報を受信する情報受信手段と、調整手段の動作履歴から、当該部屋を利用したユーザに対応する嗜好情報を生成する生成手段と、生成した嗜好情報を携帯機器３に送信する情報送信手段をさらに備える。また、各調整機器の動作制御手段は、受信した嗜好情報に基づいて調整手段の動作を制御する。
【００７８】
上記において、携帯機器３は、当該照明器４及び当該空調機５に対して、同一の嗜好情報を送信してもよいし、当該照明器４に対して照明専用の嗜好情報を送信し、当該空調機５に対して空調専用の嗜好情報を送信してもよい。
【００７９】
同一の嗜好情報を送信するケースでは、当該嗜好情報には、図５又は図６に示す嗜好情報のように、空調の嗜好を示す情報（以下、空調用の嗜好情報という。）と、照明の嗜好を示す情報（以下、照明用の嗜好情報という。）が含まれている。各部屋の照明器４は、受信した嗜好情報から抽出した照明用の嗜好情報に基づいた照明を行う。また、各部屋の空調機５は、受信した嗜好情報から抽出した空調用の嗜好情報に基づいた空調を行う。
【００８０】
各部屋の照明器４は、当該部屋に設置された照明リモコンを介して、顧客から嗜好情報の出力指示を受けると、自機の動作状態の履歴から、照明用の嗜好情報を生成し、当該顧客の携帯機器３に送信する。また、各部屋の空調機５は、当該部屋に設置された空調リモコンを介して、顧客から嗜好情報の出力指示を受けると、自機の動作状態の履歴から、空調用の嗜好情報を生成し、当該顧客の携帯機器３に送信する。携帯機器３は、照明器４及び空調機５から、それぞれ受信した照明用の嗜好情報及び空調用の嗜好情報を二次記憶装置３７に別個に保存してもよいし、これらを統合して、１つの嗜好情報として二次記憶装置３７に保存してもよい。
【００８１】
以上のように、各部屋の調整機器と携帯機器３とが、近距離無線通信を行うことで、互いに嗜好情報のやり取りを行う構成にすると、当該宿泊施設に、遠隔制御装置２又は各遠隔制御装置９を必ずしも設置する必要がない。
【００８２】
また、嗜好情報管理プログラム３７０に、二次記憶装置３７に記憶される嗜好情報３７１をユーザ（顧客）が確認及び編集するための処理が記述されていてもよい。このようにすると、ユーザは、携帯機器３を介して、自己の嗜好情報（即ち、嗜好情報３７１）を確認することができ、また、適宜、編集することが可能になる。
【００８３】
また、顧客は、カード基材にＩＣチップが埋め込まれた非接触型のＩＣカードを所持し、かかるＩＣカードと遠隔制御装置２又は各部屋の遠隔制御装置９とが通信することで、嗜好情報のやり取りを行うようにしてもよい。この場合、遠隔制御装置２又は各部屋の遠隔制御装置９は、ＩＣカード用のリーダライタを備える。かかるリーダライタは、キャリアを送信して、電磁誘導により、顧客が所持するＩＣカードに電力を供給する。そして、キャリアの変調により、データ通信を行い、ＩＣカードから嗜好情報を読み取り、又は、ＩＣカードへ嗜好情報を書き込む。
【００８４】
同様に、ＩＣカードと各部屋の調整機器とが通信することで、嗜好情報のやり取りを行うようにしてもよい。
【００８５】
さらには、非接触型のＩＣカードのみならず、接触型のＩＣカード、磁気記録カード等と遠隔制御装置２、各部屋の遠隔制御装置９又は各部屋の調整機器との間で嗜好情報のやり取りを行うようにしてもよい。この場合、遠隔制御装置２、各部屋の遠隔制御装置９又は各部屋の調整機器に、接触型のＩＣカード、磁気記録カード等に対応する読取り及び書込みデバイスを備える構成にすればよい。
【００８６】
上記の実施形態では、遠隔制御装置２において、プロセッサ２４によって二次記憶装置２７に記憶されている遠隔制御関連プログラム２７０が実行されることで、遠隔制御装置２の各機能部（図９参照）が実現された。
【００８７】
しかし、遠隔制御装置２の機能部の全部又は一部が、専用のハードウェアで実現されるようにしてもよい。専用のハードウェアとは、例えば、単一回路、複合回路、プログラム化されたプロセッサ、ＡＳＩＣ（Application Specific Integrated Circuit）、ＦＰＧＡ（Field-Programmable Gate Array）、又は、これらの組み合わせ等である。
【００８８】
また、本発明に係る室内環境調整システムは、宿泊施設以外であっても、飲食店、カラオケボックス等の娯楽施設、病室を有する医療施設等、部屋の利用に関するサービスを提供する様々な施設で採用することができる。
【００８９】
また、上記の遠隔制御関連プログラム２７０又は嗜好情報管理プログラム３７０は、ＣＤ−ＲＯＭ（Compact Disc Read Only Memory）、ＤＶＤ（Digital Versatile Disc）、光磁気ディスク（Magneto-Optical Disc）、ＵＳＢ（Universal Serial Bus）メモリ、メモリカード、ＨＤＤ等のコンピュータ読み取り可能な記録媒体に格納して配布することも可能である。そして、このように配布した遠隔制御関連プログラム２７０又は嗜好情報管理プログラム３７０を特定の又は汎用のコンピュータにインストールすることによって、当該コンピュータを上記の実施形態における遠隔制御装置２又は携帯機器３として機能させることも可能である。
【００９０】
また、遠隔制御関連プログラム２７０をインターネット上の他のサーバが有するディスク装置等に格納しておき、当該サーバから遠隔制御装置２に遠隔制御関連プログラム２７０がダウンロードされるようにしてもよい。
【００９１】
本発明は、広義の精神と範囲を逸脱することなく、様々な実施形態及び変形が可能である。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【００９２】
本発明は、宿泊施設等、様々な人が利用する室内の環境を調整する技術に好適に採用され得る。
【符号の説明】
【００９３】
１  室内環境調整システム、２，９Ａ〜９Ｃ  遠隔制御装置、３  携帯機器、４Ａ〜４Ｃ  照明器、５Ａ〜５Ｃ  空調機、６，７  通信線、８  二次元コード、２０，３０  ディスプレイ、２１，３１  操作受付部、２２，３２  通信インタフェース、２３  二次元コードリーダ、２４，３４  プロセッサ、２５，３５  ＲＯＭ、２６，３６  ＲＡＭ、２７，３７  二次記憶装置、２８，３８  バス、３３  イメージセンサ、２００  嗜好情報取得部、２０１  機器制御部、２０２  動作状態取得部、２０３  嗜好情報生成部、２０４  嗜好情報出力部、２７０  遠隔制御関連プログラム、２７１  顧客情報テーブル、２７２  動作履歴ＤＢ、３００  嗜好情報入力部、３０１  嗜好情報出力部、３７０  嗜好情報管理プログラム、３７１  嗜好情報
【図１】
2018179049.tif 000003
【図２】
2018179049.tif 000004
【図３】
2018179049.tif 000005
【図４】
2018179049.tif 000006
【図５】
2018179049.tif 000007
【図６】
2018179049.tif 000008
【図７】
2018179049.tif 000009
【図８】
2018179049.tif 000010
【図９】
2018179049.tif 000011
【図１０】
2018179049.tif 000012
【図１１】
2018179049.tif 000013
【図１２】
2018179049.tif 000014
【図１３】
2018179049.tif 000015
【図１４】
2018179049.tif 000016
【国際調査報告】
2018179049.tif 000017
2018179049.tif 000018
2018179049.tif 000019
2018179049.tif 000020